(57)【要約】      （修正有）【課題】重量が小さく、移動させ易く、障害物等に接触しても容易に使用不能に陥ることの無いショーケースを提供すること。【解決手段】ショーケース１０１は、商品が陳列される陳列部６を有する内側部材２と、内側部材２の外側に設けられる外側部材３と、陳列部６に冷却された空気を供給する冷却ユニット４と、を備え、内側部材２の材料が断熱性の樹脂製材料である。【選択図】図１
2016189815.tif 000002
【特許請求の範囲】
【請求項１】
商品が陳列される陳列部を有する内側部材と、
前記内側部材の外側に設けられる外側部材と、
前記陳列部に冷却された空気を供給する冷却ユニットと、を備え、
前記内側部材の材料が断熱性の樹脂製材料である、
ショーケース。
【請求項２】
前記外側部材の材料が吸湿材料である、
請求項１に記載のショーケース。
【請求項３】
前記陳列部は前記冷却ユニットの上方に設けられ、
前記内側部材及び前記外側部材の側壁部は、前記陳列部及び前記冷却ユニットを上下に亘って一体に囲んでいる、
請求項１又は２に記載のショーケース。
【請求項４】
前記内側部材、前記外側部材、及び前記冷却ユニットは、相互に着脱可能である、
請求項１〜３のいずれかに記載のショーケース。
【請求項５】
前記冷却ユニット、及び前記内側部材は、排気口を有する、
請求項１〜４のいずれかに記載のショーケース。
【請求項６】
前記内側部材の外面に吸湿部材を設ける、
請求項１〜５のいずれかに記載のショーケース。
【請求項７】
前記外側部材の外面が、所定の情報を表示する表示部を有する、
請求項１〜６のいずれかに記載のショーケース。
【発明の詳細な説明】
【技術分野】
【０００１】
本発明は、ショーケースに関する。
【背景技術】
【０００２】
従来において、例えば各種飲食物の小売店または飲食店等の店内に設置されるショーケースとして、例えば特許文献１に記載されるショーケースが知られている（特許文献１の請求項１、及び図１〜図３参照）。
【先行技術文献】
【特許文献】
【０００３】
【特許文献１】特開２００３−２８４６２８号公報
【発明の概要】
【発明が解決しようとする課題】
【０００４】
しかしながら、通常、ショーケースは重量が大きいので、作業者が移動させ難く、障害物等にガラス板が接触して引っかき傷、擦り傷、ヒビ又は破損等が生じてしまうと、継続使用が不能に陥ることもあった。
【０００５】
よって、本発明が解決しようとする課題は、重量が小さく、移動させ易く、障害物等に接触しても容易に使用不能に陥ることの無いショーケースを提供することである。
【課題を解決するための手段】
【０００６】
前記課題を解決するための手段として、本発明に係るショーケースは、商品が陳列される陳列部を有する内側部材と、前記内側部材の外側に設けられる外側部材と、前記陳列部に冷却された空気を供給する冷却ユニットと、を備え、前記内側部材の材料が断熱性の樹脂製材料である。
【０００７】
本発明に係るショーケースにおいて、前記外側部材の材料が吸湿材料であることが好ましい。
【０００８】
本発明に係るショーケースにおいて、前記陳列部は前記冷却ユニットの上方に設けられ、前記内側部材及び前記外側部材の側壁部は、前記陳列部及び前記冷却ユニットを上下に亘って一体に囲んでいることが好ましい。
【０００９】
本発明に係るショーケースにおいて、前記内側部材、前記外側部材、及び前記冷却ユニットは、相互に着脱可能であることが好ましい。
【００１０】
本発明に係るショーケースにおいて、前記冷却ユニット、及び前記内側部材は、排気口を有することが好ましい。
【００１１】
本発明に係るショーケースにおいて、前記内側部材の外面に吸湿部材を設けることが好ましい。
【００１２】
本発明に係るショーケースにおいて、前記外側部材の外面が、所定の情報を表示する表示部を有することが好ましい。
【発明の効果】
【００１３】
本発明によると、内側部材の材料が断熱性の樹脂製材料であるので、従来よりも軽量で、移動させ易いショーケースを提供することができる。また、障害物に接触して引っかき傷、擦り傷等が生じても、外側部材のみを交換すればよいので、従来よりも使用不能になり難いショーケースを提供することができる。
【図面の簡単な説明】
【００１４】
【図１】図１は多段型ショーケースを示す概略図であり、図１（ａ）は多段型ショーケースにおける正面の外観を示す正面概略図であり、図１（ｂ）は多段型ショーケースの幅方向略中央部における断面概略図である。
【図２】図２は平置型ショーケースを示す概略図であり、図２（ａ）は平置型ショーケースにおける正面の外観を示す正面概略図であり、図２（ｂ）は平置型ショーケースの幅方向略中央部における断面概略図である。
【図３】図３は変形例に係るショーケースの側面を示す概略図であり、図３（ａ）は変形例に係る多段型ショーケースにおける側面の外観を示す側面概略図であり、図３（ｂ）は変形例に係る平置型ショーケースにおける側面の外観を示す側面概略図である。
【発明を実施するための形態】
【００１５】
（１）ショーケースの概要
本発明に係るショーケースの一実施形態について、図面を参照しつつ説明する。
なお、図１は多段型ショーケースを示す概略図であり、図１（ａ）は多段型ショーケースにおける正面の外観を示す正面概略図であり、図１（ｂ）は多段型ショーケースの幅方向略中央部における断面概略図である。図２は平置型ショーケースを示す概略図であり、図２（ａ）は平置型ショーケースにおける正面の外観を示す正面概略図であり、図２（ｂ）は平置型ショーケースの幅方向略中央部における断面概略図である。
【００１６】
（１−１）多段型ショーケース
図１に示すように、多段型ショーケース１０１は、内側部材２と、外側部材３と、冷却ユニット４とを備える。なお、内側部材２、及び外側部材３の材料については、後述する。
【００１７】
特に図１（ｂ）に示されるように、内側部材２は、壁部５と、陳列部６と、冷却部７とを有している。内側部材２は、多段型ショーケース１０１が設置されたときに、前方に臨む側が開放されて成る。
【００１８】
本実施形態の内側部材２においては、陳列部６が冷却部７の内部に配置され、冷却部７が壁部５の内部に配置されている。
【００１９】
内側部材２において最外部に配置される壁部５は、底面が開放されて成る直方体形状を成し、冷却部７の上部から後述の冷却ユニット４の下端部までを覆っている。
多段型ショーケース１０１は、設置領域に設置される際に前方に臨むことになる面に開口部８を有する。開口部８が設けられることにより、陳列部６に陳列される商品が多段型ショーケース１０１の前方でかつ外部から視認可能となる。内側部材２及び外側部材３における各前面部に開口部が形成されることによって、内側部材２と外側部材３とを組み立てて設置状態としたときに開口部８が前面側に配置されることになる。内側部材２においては、壁部５の前面部に内側開口部８１が形成されている。
本発明に係るショーケースにおいて、外側部材の開口部の大きさ、位置、形状については、陳列される商品が外部から視認可能である限り特に制限されない。
【００２０】
冷却部７は、後方及び上方に冷却された空気の流路である通風路９が形成されている。冷却部７は、冷却ユニット４の上部において略直方体の内部空間を有する。通風路９は、冷却部７の後面部及び上面部からある程度の距離を以って配置される仕切り板９１によって冷却部７の内部が仕切られることにより、冷却された空気が流通可能となった部位である。冷却部７の後面部近傍に配置される仕切り板９１には、図１（ａ）に示すように、多段型ショーケース１０１の幅方向に延在するスリット９２が、上下方向に並列されている。
【００２１】
また、陳列部６は、壁部５及び冷却部７内に設けられ、商品が載置されて陳列される部材である。具体的には、陳列部６は、板状部材の縁辺部が折曲されて成り、多段型ショーケース１０１の上下方向に沿って複数並列される棚状部位である。陳列部６は、陳列される商品の重量で脱落しない程度の強度を以って冷却部７の内面に固定される。本実施形態における陳列部６は、面ファスナによって固定されている。
もっとも、本発明に係るショーケースにおいて、陳列部を固定する手段としては、面ファスナ以外に、例えばリベット又は熱可塑性樹脂を含有する接着剤等を用いても良い。
【００２２】
冷却部７の下部において、冷却ユニット４の上面部には案内板１１が載置されている。案内板１１は、板状部材であり、冷却ユニット４の上面部から案内板１１の前端縁部が離れる方向に傾斜を以って屈曲されている。案内板１１の前端部は、後述の冷却ユニット４の吸入口１９の一部を閉塞するように、内側部材２における壁部５の前面部に近接している。案内板１１がこのような形状及び配置を採ることによって、冷却ユニット４から供給された冷却された空気は、冷却部７内を循環しつつ冷却ユニット４に戻り易い構造となっている。
【００２３】
図１（ｂ）には、内側部材２の冷却部７内における冷却された空気の循環方向を、通風路９及び陳列部６近傍に、矢印で示している。内側部材２内において冷却された空気は、通風路９の下端部に設けられた開口部を介して、後述の冷却ユニット４における吐出口１８から進入する。更に冷却された空気が冷却部７における後面の内側面に沿って上昇して上面の内側面に達すると、該上面の内側面に沿って多段型ショーケース１０１の前方に向かい、通風路９における冷却された空気の流通路の出口部分である流入口１０まで流通する。
【００２４】
次いで、冷却部７において陳列部６が設けられる領域に対して、流入口１０を通って冷却された空気が流入する。なお、図１（ｂ）に示すように、通風路９を流通する冷却された空気の一部は、陳列部６が設けられる領域の後側から、仕切り板９１に形成されたスリット９２を介して流入する。
冷却部７における流入口１０は鉛直又は略鉛直に方向付けされているので、冷却された空気は流入口１０から下方向に流通することとなる。冷却部７における前側下端部において、流入口１０から流下してくる冷却された空気が到達する部位には、案内板１１の前端縁部が配置されている。流入口１０から流下してくる冷却された空気の大部分は、壁部５の前面部と案内板１１の前端縁部との間を流通して冷却ユニット４に戻るようになっている。流入口１０から流下してくる冷却された空気の一部は、案内板１１の前側の傾斜部位によって後方に流れるように方向付けられ、陳列部６が設けられる領域内を循環する。
【００２５】
外側部材３は、内側部材２における壁部５の外側に設けられる部材である。外側部材３は、壁部５と略同一形状を有する。つまり、外側部材３は、底面が開放されて成る直方体形状を成し、壁部５及び冷却ユニット４を覆っている。なお、冷却ユニット４は壁部５によって覆われているが、更にその外側から外側部材３が冷却ユニット４を覆っている。外側部材３の前面部には、外側開口部８２が形成されている。外側開口部８２は、外側部材３が内側部材２を覆った状態としたときに、内側開口部８１と略同位置に開口するように位置決めされる。
【００２６】
本実施形態に係る多段型ショーケース１０１は、開口部８よりも下方の高さ位置において、前面部及び後面部に通気用開口部１２を有する。通気用開口部１２が設けられることにより、後述の冷却ユニット４が通気口１３を介して吸排気可能となる。特に図１（ｂ）に示すように、内側部材２の壁部５における前面部及び後面部の下端部近傍に内側通気用開口部１２１が形成されると共に、外側部材３の前面部及び後面部の下端部近傍に外側通気用開口部１２２が形成されている。
【００２７】
続いて、冷却ユニット４は、内側部材２の内部に冷却された空気を供給する機器である。詳述すると、冷却ユニット４は、通気口１３、蒸発器１４、送風機１５１及び１５２、圧縮機１６、凝縮器１７、吐出口１８、及び吸入口１９を有している。冷却ユニット４が有する各部材は、従来の冷蔵庫等で用いられる冷却機器を用いている。よって、圧縮機１６と、凝縮器１７と、蒸発器１４とを、冷媒が満たされた配管で接続することによって冷凍サイクルが構成されている。
【００２８】
送風機１５２が凝縮器１７に向かって空気を送ることによって、多段型ショーケース１０１の前面側に位置する通気口１３を介して冷却ユニット４の外部から内部に空気が取入れられると共に、凝縮器１７において熱交換されて温度が上昇した空気が多段型ショーケース１０１の後面側に位置する通気口１３から排出される。
また、送風機１５１が蒸発器１４に向かって空気を送ることによって、吸入口１９を介して内側部材２の冷却部７から冷却ユニット４の内部に空気が取入れられると共に、蒸発器１４において熱交換されて温度が低下した空気が吐出口１８から内側部材２の通風路９に進入する。
【００２９】
したがって、冷却ユニット４の冷凍サイクルによって生じる冷却された空気は、冷却ユニット４から吐出口１８を介して内側部材２の冷却部７に進入し、冷却部７内を循環した後に吸入口１９を介して冷却ユニット４に戻る。
流入口１０によって方向付けられた冷却された空気は、開口部８に沿って流下することにより、該開口部８の内側にエアカーテンが形成されるので、多段型ショーケース１０１の外部から空気が冷却部７に侵入し難くなり、結果として冷却部７内の温度を低く維持し易い。
【００３０】
なお、内側部材２及び外側部材３は、図１に示す設置状態としたときに、冷却ユニット４の下端部に設けられる受け部Ｓに支持される。受け部Ｓは、多段型ショーケース１０１の下端部の幅方向両側において、外側に張り出して形成されるフランジであり、内側部材２及び外側部材３が載置可能となっている。受け部Ｓの張り出し距離は必要最低限に設定され、具体的には内側部材２及び外側部材３の厚みと略同一又は若干大きい程度としている。これにより、冷却ユニット４の設置、移動、及び撤去の際に、受け部Ｓが作業者に干渉する等して邪魔になることは無い。
【００３１】
内側部材２、外側部材３、及び冷却ユニット４は、相互に固定されていないので、相互に着脱可能である。更に言うと、内側部材２の壁部５、陳列部６及び通風路９を形成する各部材は相互に着脱可能である。
【００３２】
本実施形態に係る多段型ショーケース１０１は、外側部材３の外面が所定の情報を表示する表示部Ａを有する。表示部Ａとしては、例えば外側部材３表面に設けた印刷、表面に貼り付けられた表示部材、表面に被せた表示部材等を挙げることができる。表示部Ａが表示する所定の情報としては、例えば陳列部に陳列される商品の名称及び商標、製造者の名称及び商標、商品の購買意欲を惹起させる意匠及び広告等を挙げることができる。
よって、本実施形態に係る多段型ショーケース１０１は、商品の購入検討者に対して外側部材３の前方から陳列された商品を視認させるだけでなく、外側部材３の外面に配置される表示部Ａによって多段型ショーケース１０１の側方及び後方からでも商品名等を知らしめ、購買意欲も高めることができる。
【００３３】
従来のショーケースは移動作業に際して分解することはなかったので、ショーケースが元来設置されていなかった領域にショーケースを新たに設置するには、大容積を有する未分解のショーケースを移動させる必要があった。大容積を有するショーケースを移動させるには、作業者が安全性に対して強く留意する必要があり、移動作業に係る作業時間も長くなることが多かった。
【００３４】
これに対して、多段型ショーケース１０１は内側部材２、外側部材３、及び冷却ユニット４が相互に着脱可能であるので、大容積を有するショーケースを未分解状態で移動させる必要が無い。すなわち、多段型ショーケース１０１は、各部材が相互に着脱自在であることによって、移動作業に係る安全性の向上、作業時間の短縮を図ることができる。
【００３５】
ガラス板及び金属製の枠体を備える従来のショーケースにおいて、陳列する商品の購買意欲を惹起させるには、透明なガラスを通して内部の商品を見せる方法、又は、別領域に立て看板等を設置する方法、陳列される商品の広告等を接着剤によってガラス板に貼付する方法等があった。
なお、ガラス板に接着剤によって広告等を貼付する場合、別の商品を陳列する際には剥がして別の広告を貼り直す作業が必要となるだけでなく、接着剤及び広告の一部がガラス板表面に残存してしまうことがあった。つまり、商品入替えに係る作業効率が低かった。
【００３６】
図１に示す多段型ショーケース１０１においては、外側部材３が着脱自在であるので、陳列される商品を別の商品に入れ替える場合は、新たに陳列される商品に関する情報を表示部Ａに表示した外側部材３に交換するだけで良い。よって、商品入替えに係る作業効率の向上を図ることができる。
【００３７】
（１−２）平置型ショーケース
図２に示す平置型ショーケース１０２は、上述した多段型ショーケース１０１と同様に、内側部材２０と、外側部材３０と、冷却ユニット４とを備える。なお、内側部材２０及び外側部材３０の材料については、後述する。
平置型ショーケース１０２と多段型ショーケース１０１との相違点は、内側部材及び外側部材の形状である。平置型ショーケース１０２における冷却ユニット４については、多段型ショーケース１０１の冷却ユニット４と同一部材を用いているので、同一の参照符号を付すこととし、詳細な説明は省略する。
【００３８】
平置型ショーケース１０２における内側部材２０は、壁部５０と、陳列部６０と、冷却部７０とを有している。内側部材２０は、平置型ショーケース１０２が設置されたときに、上方に臨む側が開放されて成る。
【００３９】
平置型ショーケース１０２は多段型ショーケース１０１に比べて高さが低く設定されることにより、冷却部７０における内容積が上記冷却部７より小さくなっている。複数段の棚状部材であった陳列部６に代えて、特に図２（ｂ）に示すように、陳列部６０は冷却ユニット４の上部に一段分の陳列可能領域を有する。
【００４０】
壁部５０は、上面及び底面が開放されて成る直方体形状を成し、冷却部７０の上部から冷却ユニット４の下端部までを覆っている。
平置型ショーケース１０２は、設置領域に設置される際に上方に臨むことになる面に開口部８０を有する。開口部８０が設けられることにより、陳列部６０に陳列される商品が平置型ショーケース１０２の上方でかつ外部から視認可能となる。
更に、平置型ショーケース１０２は、設置領域に設置される際に前方に臨むことになる面に切欠部２００を有する。切欠部２００は、内側部材２０及び外側部材３０の各前面部を上端から略矩形状に切り欠いた部位である。切欠部２００が設けられることにより、開口部８０による陳列商品の上方からの可視化だけでなく、前方からも視認可能となる。なお、本実施形態においては、切欠部２００を介した陳列商品の視認性を維持しつつ、切欠部２００からの冷却された空気の漏出を防止するために、切欠部２００に透明の合成樹脂材料等で形成される透過板２０１を配置している。
【００４１】
冷却部７０の後方には冷却された空気の流路である通風路９０が形成されている。冷却部７０は、冷却ユニット４の上部において略直方体の内部空間を有する。通風路９０は、冷却部７の後面部ある程度の距離を以って配置される仕切り板９１０によって冷却部７０の内部が仕切られることにより、冷却された空気が流通可能となった部位である。仕切り板９１０には、図２（ａ）に示すように、平置型ショーケース１０２の幅方向に延在するスリット９２０が、上下方向に並列されている。
通風路９０の上端部には、略三角筒形状を有する導風部９３が配置されている。導風部９３は、傾斜面に冷却された空気を当てることによって、通風路９０内を上昇する冷却された空気の流通方向を前方に向かう方向に変化させる部材である。
【００４２】
冷却部７０の内部において、冷却ユニット４の上面部には案内板１１０が載置されている。案内板１１０は、板状部材であり、上記案内板１１に比べて上方に延在している。図２（ｂ）に示すように、案内板１１０の前部は内側部材２０の前面部及び透過板２０１に略平行に延在するので、通風路９０を形成する仕切り板９１０と同様の機能を有する。つまり、内側部材２０の前面部及び透過板２０１と案内板１１０との間において、冷却された空気の流通路が形成されることになる。なお、本実施形態においては、切欠部２００を介した陳列商品の視認性を維持するために、案内板１１０は透明の合成樹脂材料等で形成される。
本実施形態では、案内板１１０における冷却ユニット４の上面部に当接している平板状部位が陳列部６となる。
【００４３】
図２（ｂ）には、内側部材２０の冷却部７０内における冷却された空気の循環方向を矢印で示している。冷却部７０内における冷却された空気は、冷却ユニット４における吐出口１８から通風路９０に進入し、導風部９３に当たることにより後方から前方へ向かう流通方向に変化する。
流入口１００によって方向付けられた冷却された空気は、開口部８０に沿って冷却部７０の上部を流通することにより、該開口部８０の内側にエアカーテンが形成されるので、平置型ショーケース１０２の外部から空気が侵入し難くなり、結果として冷却部７０内の温度を低く維持し易い。なお、図２（ｂ）に示すように、通風路９０を流通する冷却された空気の一部は、陳列部６０が設けられる領域の後側から、仕切り板９１０に形成されたスリット９２０を介して流入する。
流入口１００の上方には、図２（ｂ）に示すように、内側部材２０及び外側部材３０の一部が後方から前方に突出して通風路９０の天井面を形成している。冷却された空気が当たる該天井面には、後述するように断熱性材料によって形成される内側部材２０を複数層重ねて配置することによって、冷却効率の低下を防止すると共に、結露の発生を抑えている。
【００４４】
外側部材３０は、開口部８０の側方部及び前方部において、平置型ショーケース１０２の内側である冷却部７０内に折り込まれて成る折曲部３１を有する。ユーザーが商品を陳列部６０から取り出す際に、ユーザーの上肢の一部が開口部８０の縁部である折曲部３１に擦れたとしても、折曲部３１が尖鋭ではないので上肢に傷害を負わない又は負い難い。
【００４５】
内側部材２０、外側部材３０、及び冷却ユニット４は、多段型ショーケース１０１と同様に、相互に固定されていないので、相互に着脱可能である。更に言うと、内側部材２０の壁部５０、陳列部６０及び通風路９０を形成する各部材は相互に着脱可能である。
【００４６】
平置型ショーケース１０２は内側部材２０、外側部材３０、及び冷却ユニット４が相互に着脱可能であるので、大容積を有するショーケースを未分解状態で移動させる必要が無い。すなわち、平置型ショーケース１０２は、各部材が相互に着脱自在であることによって、移動作業に係る安全性の向上、作業時間の短縮を図ることができる。
【００４７】
図２に示す平置型ショーケース１０２においては、外側部材３０が着脱自在であるので、陳列される商品を別の商品に入れ替える場合は、新たに陳列される商品に関する情報を表示部Ａに表示した外側部材３０に交換するだけで良い。よって、商品入替えに係る作業効率の向上を図ることができる。
【００４８】
（２）内側部材及び外側部材の材料
ここで、内側部材２及び外側部材３の各材料について説明する。なお、内側部材２と内側部材２０とは同一材料で形成可能であり、外側部材３と外側部材３０とは同一材料で形成可能である。つまり、多段型ショーケース１０１について材料に起因する作用効果は、平置型ショーケース１０２についても同様の作用効果が得られる。
【００４９】
内側部材２の材料は、断熱性の樹脂製材料であるポリプロピレン発泡体を用いている。ポリプロピレン発泡体以外の内側部材２に好適な断熱性の樹脂製材料としては、例えば合成樹脂の発泡体であり、具体的にはポリカーボネート、ポリスチレン、ポリエチレン、硬質ポリウレタン、及び硬質ポリ塩化ビニル等の発泡体を挙げることができる。内側部材２の材料として樹脂発泡体を用いる場合、独立気泡型であっても良く、連続気泡型であっても良い。
【００５０】
外側部材３の材料は、断熱性の吸湿材料である紙製段ボールを用いている。外側部材３は、段ボールに採用されるストロー構造によって断熱性を有すると共に、紙材料で形成されることによって吸湿性を有する。外側部材３が紙製材料で形成されることによって、表示部Ａに対して種々の情報を印刷等により転写し易いので好ましい。
なお、本発明において外側部材の材料としては、吸湿性を有する限り、紙製段ボールに代えて他の材料を用いても良い。
【００５１】
本実施形態において、内側部材２の外面と外側部材３の内面との間には多段型ショーケース１０１の外部と連通する隙間が存在している。該隙間内は外部の空気の温度となるので、内部を冷却された空気が循環する内側部材２との温度差によって、内側部材２の外面に結露が発生する可能性がある。内側部材２の外面における結露量が多くなると、結露が水滴となって内側部材２の外面を伝って流れ落ちる。以下、結露が集まって水滴となったものを「結露水」と称する。流れ落ちる結露水は、内側部材２と外側部材３との接触部位において外側部材３にも伝うことになる。外側部材３は吸湿材料により形成されているので、外側部材３に接触した結露水は外側部材３に吸収される。これにより、流れ落ちる結露水量が多くなった場合に多段型ショーケース１０１の下方にまで結露水が落下し、設置領域が水で濡れてしまうという状況を、外側部材３の吸収によって防止することができる。
【００５２】
なお、結露水を吸収した外側部材３において、多段型ショーケース１０１の後面側に位置する通気口１３から排出される空気の熱によって、該通気口１３周辺の外側通気用開口部１２２に吸収されている結露水は蒸発し易くなっている。
【００５３】
更に、紙製段ボールは、各部位の折曲が容易であるので設置及び撤去が容易であると共に、軽量であるので設置作業及び撤去作業に際して複数の作業員は不要であるだけでなく、外側部材３を複数回使用した後にリサイクルが容易である。
【００５４】
従来のショーケースは、ガラス板の壁部材、金属製の枠体及び冷却ユニット等が一体であった。各部材の重量も大きく、かつ各部材が一体的に固定されていたので、従来のショーケースの移動作業は作業効率が低かった。更に、従来のショーケースのガラス板に障害物が接触することによって、ガラス板に引っかき傷、擦り傷、ヒビ又は破損等が生じることがあった。ガラス板に一旦破損等が生じてしまうと、ショーケース自体を交換する方法、又は、専門知識を有する作業者がショーケースを分解して破損等が生じたガラス板を交換する方法を採らざるを得なかった。
【００５５】
これに対して、図１に示した多段型ショーケース１０１は、従来のガラス板及び金属製の枠体に比べて、内側部材２及び外側部材３が重量の小さい材料によって形成されているので、多段型ショーケース１０１の移動作業を容易に行うことができ、作業効率の向上を図ることができる。また、内側部材２及び外側部材３は、従来のガラス板に比べて引っかき傷、擦り傷、ヒビ等が目立ち難い。更に、内側部材２及び外側部材３は相互に着脱自在であるので、仮に破損等が生じても、破損等が生じた部材のみを容易に交換することができる。よって、多段型ショーケース１０１は、障害物等に接触しても容易に使用不能に陥ることがない。
【００５６】
図１に示した多段型ショーケース１０１は内側部材２と外側部材３との二重壁構造であるだけでなく、内側部材２及び外側部材３が共に断熱性材料によって形成されているので、冷却効率は従来の業務用ショーケースと略同等の冷却効率を達成することができる。
【００５７】
特に、内側部材２の材料が合成樹脂である場合は、内側部材２に汚れ、結露水等が付着しても、拭き取り又は洗浄等によって付着物を除去可能である。しかも合成樹脂製であれば耐久性を有するので、設置、撤去、移動の一連の作業を複数回に亘って実行可能であり、材料削減に寄与する。
【００５８】
（変形例）
ここで、本発明に係るショーケースの変形例を図３に示す。
なお、図３は変形例に係るショーケースの側面を示す概略図であり、図３（ａ）は変形例に係る多段型ショーケースにおける側面の外観を示す側面概略図であり、図３（ｂ）は変形例に係る平置型ショーケースにおける側面の外観を示す側面概略図である。
【００５９】
図３に示す実施形態では、第２通気口１３０、第２通気用開口部１２０、及び吸湿部材２０２が設けられている。これらの部位及び部材以外については、図１及び図２に示した実施形態と同一部材を用いているので、同一の参照符号を付し、詳細な説明は省略する。
【００６０】
図３（ａ）に示す多段型ショーケース１０３と、図３（ｂ）に示す平置型ショーケース１０４とは、それぞれ側方において、第２通気口１３０と、第２通気用開口部１２０とを有する。第２通気口１３０は、冷却ユニット４の側方に設けられ、後方の通気口１３から排出される熱を帯びた空気の一部を側方からも排出可能な通気口である。第２通気用開口部１２０は、第２通気口１３０を閉塞しないように、内側部材２，２０と、外側部材３，３０に形成される開口部である。
【００６１】
図３に示すように、内側部材２と外側部材３との間、及び内側部材２０と外側部材３０との間には、吸湿部材２０２を設けている。図１に示した多段型ショーケース１０１及び図２に示した平置型ショーケース１０２においては、内側部材２，２０と、外側部材３，３０とは略密着していた。これに対して、多段型ショーケース１０３及び平置型ショーケース１０４においては、内側部材２，２０と、外側部材３，３０との間に、吸湿部材２０２を配置するための空隙が生じるような寸法設計がなされている。
【００６２】
図３（ａ）に示す多段型ショーケース１０３では、内側部材２の外面に吸湿部材２０２であるウレタンテープが内側部材２の外面に対して適宜の接着剤等を介して貼付されている。図３（ｂ）に示す平置型ショーケース１０４でも同様に、吸湿部材２０２は内側部材２０の外面に対して適宜の接着剤等を介して貼付されている。
【００６３】
多段型ショーケース１０３及び平置型ショーケース１０４のように、壁部５，５０の外面において第２通気用開口部１２０の上方に吸湿部材２０２を貼付することによって、壁部５，５０の外面を伝って流れ落ちる結露水を吸湿部材２０２で受け止め、更に吸収して保持することができる。
【００６４】
冷却ユニット４の第２通気口１３０から第２通気用開口部１２０を介して外部に放出される空気は暖かいので、第２通気用開口部１２０に近接した上方に貼付された吸湿部材２０２の温度も上昇し易い。これにより、吸湿部材２０２に吸収された結露水は蒸発し易い。
【００６５】
なお、本発明において吸湿部材は、冷却ユニットから空気が排出される通気口に近接していれば良い。吸湿部材の配置としては、例えば図３に示す実施形態のように第２通気用開口部１２０の上方という位置に代えて、図１（ｂ）及び図２（ｂ）に示す後方の通気口１３、並びに、図３に示す第２通気口１３０に対向した位置に配置されても良い。
【００６６】
また、内側部材２，２０と外側部材３，３０との間には吸湿部材２０２を配置するために空隙が設けられているので、第２通気口１３０から排出される空気の一部が内側部材２，２０と外側部材３，３０との間にも流入する。これにより、結露水を吸収した吸湿部材２０２に対して暖かい風が当たる状態となるので、吸湿部材２０２の乾燥をより一層促すことができる。
【００６７】
内側部材２，２０と外側部材３，３０との間の空隙は略密閉状態となるので、内側部材２，２０の外面が第２通気口１３０から排出される空気によって常時温められることになり、結果として内側部材２，２０の外面には結露が発生し難くなる。なお、この結露の発生のし難さについては、内側部材２，２０と外側部材３，３０との間に空隙が設けられ、冷却ユニット４から排出される空気が流入していれば得られる作用である。
【００６８】
したがって、図３に示す多段型ショーケース１０３及び平置型ショーケース１０４は、ショーケースの下方にまで結露水が落下し、設置領域が水で濡れてしまうという状況を、吸湿部材２０２による吸収と、排出空気による蒸散の促進とによって防止可能である。
【００６９】
更に、図３に示した実施形態のように、ショーケースの側面側に配置される第２通気口１３０の上方に吸湿部材２０２を設けて結露水の蒸発を促すことによって、ユーザーが視認し易く、かつ表示部Ａに広告等を表示することが多いショーケースの側面部を乾燥状態に維持又は近付けることができる。
なお、本発明においては、吸湿部材２０２はショーケースの後面側の通気口１３の上方に配置して、該通気口１３から排出される熱を帯びた空気によってショーケースの後方側の結露水を蒸発させても良い。
【００７０】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００７１】
１０１及び１０３：多段型ショーケース、１０２及び１０４：平置型ショーケース、２及び２０：内側部材、３及び３０：外側部材、３１：折曲部、４：冷却ユニット、５及び５０：壁部、６及び６０：陳列部、７及び７０：冷却部、８及び８０：開口部、８１：内側開口部、８２：外側開口部、９及び９０：通風路、９１及び９１０：仕切り板、９２及び９２０：スリット、１０及び１００：流入口、１１及び１１０：案内板、１２：通気用開口部、１２０：第２通気用開口部、１２１：内側通気用開口部、１２２：外側通気用開口部、１３：通気口、１３０：第２通気口、１４：蒸発器、１５１及び１５２：送風機、１６：圧縮機、１７：凝縮器、１８：吐出口、１９：吸入口、２００：切欠部、２０１：透過板、２０２：吸湿部材、Ｓ：受け部
【図１】
2016189815.tif 000003
【図２】
2016189815.tif 000004
【図３】
2016189815.tif 000005